(57)【特許請求の範囲】
【請求項１】
被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末に対し情報送受信可能に接続されたコンテンツサーバに備えられた演算手段に対し、
予め用意された、前記印字ラベルの作成に係わる複数のコンテンツから選択された特定のコンテンツに対して、予め固定的に対応付けられた説明文を取得する説明文取得手順と、
前記操作端末に備えられた表示手段で表示可能に予め用意された複数のプレビュー画像のそれぞれに予め対応付けられた少なくとも１つのキーワードを取得するキーワード取得手順と、
各プレビュー画像ごとに、対応する前記少なくとも１つのキーワードと前記説明文取得手順で取得された説明文の内容との適合性を判定し、前記複数のプレビュー画像のうち最も適合性が高い画像を、前記特定のコンテンツに対応付けるプレビュー画像として決定する画像決定手順と、
画像決定手順で決定されたプレビュー画像を前記表示手段で表示させるために前記操作端末へ出力する画像出力手順を実行させるための、コンテンツ情報処理プログラム。
【請求項２】
請求項１記載のコンテンツ情報処理プログラムにおいて、
前記コンテンツサーバの前記演算手段に対し、
各プレビュー画像に対応した前記少なくとも１つのキーワードのうち、前記説明文取得で取得された説明文に含まれるキーワードが何個あるかを、各プレビュー画像ごとにカウントするキーワード数カウント手順をさらに実行させ、
前記画像決定手順は、
前記複数のプレビュー画像のうち前記キーワード数カウント手順でのカウント値が最も大きい画像を、前記特定のコンテンツに対応付けるプレビュー画像として決定する
ことを特徴とするコンテンツ情報処理プログラム。
【請求項３】
請求項１又は請求項２記載のコンテンツ情報処理プログラムにおいて、
前記コンテンツサーバの前記演算手段に対し、
前記複数のコンテンツのうち少なくとも１つが更新されたか否か、若しくは、前記複数のプレビュー画像のうち少なくとも１つが更新されたか否か、を判定する更新判定手順をさらに実行させるとともに、
少なくとも、前記説明文取得手順、前記キーワード取得手順、及び前記画像決定手順は、前記更新判定手順で更新があったと判定された場合に前記コンテンツサーバの前記演算手段に実行させる
ことを特徴とするコンテンツ情報処理プログラム。
【請求項４】
被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末に対し情報送受信可能に接続されたコンテンツサーバが実行する、コンテンツ情報処理方法であって、
予め用意された、前記印字ラベルの作成に係わる複数のコンテンツから選択された特定のコンテンツに対して、予め固定的に対応付けられた説明文を取得する説明文取得手順と、
前記操作端末に備えられた表示手段で表示可能に予め用意された複数のプレビュー画像のそれぞれに予め対応付けられた少なくとも１つのキーワードを取得するキーワード取得手順と、
各プレビュー画像ごとに、対応する前記少なくとも１つのキーワードと前記説明文取得手順で取得された説明文の内容との適合性を判定し、前記複数のプレビュー画像のうち最も適合性が高い画像を、前記特定のコンテンツに対応付けるプレビュー画像として決定する画像決定手順と、
画像決定手順で決定されたプレビュー画像を前記表示手段で表示させるために前記操作端末へ出力する画像出力手順と、
を有することを特徴とするコンテンツ情報処理方法。
【請求項５】
請求項４記載のコンテンツ情報処理方法において、
各プレビュー画像に対応した前記少なくとも１つのキーワードのうち、前記説明文取得で取得された説明文に含まれるキーワードが何個あるかを、各プレビュー画像ごとにカウントするキーワード数カウント手順をさらに有し、
前記画像決定手順は、
前記複数のプレビュー画像のうち前記キーワード数カウント手順でのカウント値が最も大きい画像を、前記特定のコンテンツに対応付けるプレビュー画像として決定する
ことを特徴とするコンテンツ情報処理方法。
【請求項６】
請求項４又は請求項５記載のコンテンツ情報処理方法において、
前記複数のコンテンツのうち少なくとも１つが更新されたか否か、若しくは、前記複数のプレビュー画像のうち少なくとも１つが更新されたか否か、を判定する更新判定手順をさらに有するとともに、
少なくとも、前記説明文取得手順、前記キーワード取得手順、前記画像決定手順、及び前記画像出力手順は、前記更新判定手順で更新があったと判定された場合に実行する
ことを特徴とするコンテンツ情報処理方法。
【請求項７】
被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末と、
前記操作端末に対し情報送受信可能に接続されたコンテンツサーバと、
を有するコンテンツ情報処理システムであって、
前記コンテンツサーバは、
予め用意された、前記印字ラベルの作成に係わる複数のコンテンツと、前記複数のコンテンツに対し固定的にそれぞれ対応付けられた複数の説明文と、を記憶したコンテンツ情報記憶手段と、
予め用意された複数のプレビュー画像と、前記複数のプレビュー画像に対しそれぞれ対応付けられた少なくとも１つのキーワードと、を記憶したプレビュー画像情報記憶手段と、
前記コンテンツ情報記憶手段にアクセスし、当該コンテンツ情報記憶手段に記憶された複数のコンテンツから選択された特定のコンテンツに対し予め対応付けられた前記説明文を取得する説明文取得手段と、
前記プレビュー画像情報記憶手段にアクセスし、当該プレビュー画像情報記憶手段に記憶された複数のプレビュー画像のそれぞれに予め対応付けられた前記少なくとも１つのキーワードを取得するキーワード取得手段と、
前記キーワード取得手段での取得結果に基づき、各プレビュー画像ごとに、対応する前記少なくとも１つのキーワードと前記説明文取得手段で取得された説明文の内容との適合性を判定し、前記複数のプレビュー画像のうち最も適合性が高い画像を、前記特定のコンテンツに対応付けるプレビュー画像として決定する画像決定手段と、
を有し、
前記操作端末は、
画像決定手段で決定されたプレビュー画像を表示する表示手段を有する
ことを特徴とするコンテンツ情報処理システム。
【発明の詳細な説明】
【技術分野】
【０００１】
本発明は、印字ラベル作成装置を操作する操作端末に対し接続されたコンテンツサーバにおいて実行されるコンテンツ情報処理プログラム及びコンテンツ情報処理方法、並びに当該コンテンツサーバを備えたコンテンツ情報処理システムに関する。
【背景技術】
【０００２】
従来、コンテンツサーバを備えたコンテンツ情報処理システムの例として、例えば特許文献１に記載の技術がある。この従来技術では、コンテンツサーバ（ウェブサーバ）からダウンロードするコンテンツ（例えば画像やソフトウェア等）の概要や注意点をダウンロード前に容易に知ることができるように、コンテンツに説明文やプレビュー画像が付加されている。
【先行技術文献】
【特許文献】
【０００３】
【特許文献１】特開２００３−５０９２１号公報
【発明の概要】
【発明が解決しようとする課題】
【０００４】
しかしながら、上記従来技術では、コンテンツと、当該コンテンツに対応するプレビュー画像と、当該コンテンツに対応する説明文とが、１つのパッケージとして用意されている。このため、コンテンツと同一数だけプレビュー画像が必要になる。また、プレビュー画像や説明文が互いに共通である複数コンテンツがあったとしても、それら複数のコンテンツそれぞれに、当該共通のプレビュー画像や説明文が重複されてパッケージ化されることとなり、無駄なリソースが必要となる。以上のように、プレビュー画像の記憶のために必要なリソースが無駄に増大してしまうという問題があった。
【０００５】
また、コンテンツ又はプレビュー画像の更新が生じた場合、更新されたコンテンツ又はプレビュー画像を含むすべてのパッケージの作り直しが必要となるため、更新処理に要する労力及びコストが増大するという問題もあった。
【０００６】
本発明の目的は、プレビュー画像の記憶のために必要なリソースを低減できるとともに、かつ、コンテンツやプレビュー画像の更新処理に要する労力及びコストを低減できる、コンテンツ情報処理プログラム、コンテンツ情報処理方法、及びコンテンツ情報処理システムを提供することにある。
【課題を解決するための手段】
【０００７】
上記目的を達成するために、本願第１発明は、被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末に対し情報送受信可能に接続されたコンテンツサーバに備えられた演算手段に対し、予め用意された、前記印字ラベルの作成に係わる複数のコンテンツから選択された特定のコンテンツに対して、予め固定的に対応付けられた説明文を取得する説明文取得手順と、前記操作端末に備えられた表示手段で表示可能に予め用意された複数のプレビュー画像のそれぞれに予め対応付けられた少なくとも１つのキーワードを取得するキーワード取得手順と、各プレビュー画像ごとに、対応する前記少なくとも１つのキーワードと前記説明文取得手順で取得された説明文の内容との適合性を判定し、前記複数のプレビュー画像のうち最も適合性が高い画像を、前記特定のコンテンツに対応付けるプレビュー画像として決定する画像決定手順と、画像決定手順で決定されたプレビュー画像を前記表示手段で表示させるために前記操作端末へ出力する画像出力手順を実行させる。
【０００８】
本願第１発明のコンテンツ情報処理プログラムは、印字ラベル作成装置を操作するための操作端末に接続されたコンテンツサーバの演算手段において実行され、印字ラベルの作成に係わるコンテンツに対応したプレビュー画像を操作端末に表示させる。すなわち、本願第１発明においては、予め用意された複数の上記コンテンツそれぞれに対して、当該コンテンツの内容を表す説明文が、固定的にそれぞれ対応付けられている。また、予め用意された複数の上記プレビュー画像それぞれに対して、上記複数のプレビュー画像に対して、当該プレビュー画像の表す内容に適している少なくとも１つのキーワードが、それぞれ対応付けられている。
【０００９】
そして、コンテンツサーバの演算手段によって実行される説明文取得手順で、特定のコンテンツに対し予め対応付けられた説明文が取得される。一方、キーワード取得手順で、各プレビュー画像ごとに予め対応付けられた少なくとも１つのキーワードが取得される。ここで、上述したように、各コンテンツの説明文は当該コンテンツの内容を表しており、各プレビュー画像のキーワードは当該プレビュー画像の内容を反映している。したがって、キーワードと説明文との間に高い合致性が存在すれば、当該説明文に対応したコンテンツと当該キーワードに対応したプレビュー画像との間にも、高い関連性があるはずである。
【００１０】
本願第１発明においてはこのような観点から、画像決定手順で、各プレビュー画像ごとに、対応する上記少なくとも１つのキーワードと上記取得された説明文の内容との適合性が判定され、当該適合性が最も高いと判定されたプレビュー画像が、上記特定のコンテンツに対応付けるプレビュー画像として決定される。これにより、画像出力手順における出力を用いて、上記操作者が指定した特定のコンテンツに最も適合するプレビュー画像を、操作端末の表示手段で表示することができる。
【００１１】
このように、本願第１発明においては、各コンテンツと説明文とを対応付ける一方で、各プレビュー画像とキーワードとを対応付けて（例えば、対応付けテーブルを生成する）おき、説明文とキーワードとの合致性に基づき、コンテンツとプレビュー画像とを結びつけるようにする。これにより、コンテンツ、説明文、プレビュー画像を１つのパッケージとして構成する手法のようにコンテンツの数だけプレビュー画像が必要になることはない。また複数のコンテンツで共通のプレビュー画像を使用する場合に、上記手法のように同一プレビュー画像を重複して記憶するための無駄なリソースが必要とならない。これにより、プレビュー画像の記憶のために必要なリソースを低減することができる。
【００１２】
また、コンテンツ（又はプレビュー画像）の更新が生じた場合、上記手法では更新されたコンテンツ（又はプレビュー画像）を含むすべてのパッケージの作り直しが必要となって更新処理に要する労力及びコストが増大する。これに対し、本願第１発明においては、コンテンツの更新が生じた場合には、コンテンツの説明文を新たに生成することにより、プレビュー画像とコンテンツとの対応付けを新たに構築して上記対応付けテーブルを更新すれば足りる。また、プレビュー画像の更新が生じた場合には、プレビュー画像に対応付けるキーワードを新たに生成することにより、プレビュー画像とコンテンツとの対応付けを新たに構築して上記対応付けテーブルを更新すれば足りる。したがって、いずれの場合も、上記手法に比べ更新処理に要する労力及びコストを低減することができる。
【００１３】
第２発明は、上記第１発明において、前記コンテンツサーバの前記演算手段に対し、各プレビュー画像に対応した前記少なくとも１つのキーワードのうち、前記説明文取得で取得された説明文に含まれるキーワードが何個あるかを、各プレビュー画像ごとにカウントするキーワード数カウント手順をさらに実行させ、前記画像決定手順は、前記複数のプレビュー画像のうち前記キーワード数カウント手順でのカウント値が最も大きい画像を、前記特定のコンテンツに対応付けるプレビュー画像として決定することを特徴とする。
【００１４】
キーワード数カウント手順でのカウント値が最も大きい場合は、コンテンツの説明文とプレビュー画像のキーワードとの関連性が最も高いことになる。本願第２発明においては、演算手段が実行する画像決定手順で、そのようなプレビュー画像を上記特定のコンテンツに対応付ける画像として決定する。これにより、特定のコンテンツに最も適合するプレビュー画像を高い精度で選び出し、表示することができる。
【００１５】
第３発明は、上記第１又は第２発明において、前記コンテンツサーバの前記演算手段に対し、前記複数のコンテンツのうち少なくとも１つが更新されたか否か、若しくは、前記複数のプレビュー画像のうち少なくとも１つが更新されたか否か、を判定する更新判定手順をさらに実行させるとともに、少なくとも、前記説明文取得手順、前記キーワード取得手順、及び前記画像決定手順は、前記更新判定手順で更新があったと判定された場合に前記コンテンツサーバの前記演算手段に実行させることを特徴とする。
【００１６】
これにより、コンテンツ（又はプレビュー画像）の更新が生じた場合において、コンテンツ、説明文、プレビュー画像を１つのパッケージとして構成する手法に比べ、処理に要する労力及びコストを確実に低減することができる。
【００１７】
上記目的を達成するために、本願第４発明は、被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末に対し情報送受信可能に接続されたコンテンツサーバが実行する、コンテンツ情報処理方法であって、予め用意された、前記印字ラベルの作成に係わる複数のコンテンツから選択された特定のコンテンツに対して、予め固定的に対応付けられた説明文を取得する説明文取得手順と、前記操作端末に備えられた表示手段で表示可能に予め用意された複数のプレビュー画像のそれぞれに予め対応付けられた少なくとも１つのキーワードを取得するキーワード取得手順と、各プレビュー画像ごとに、対応する前記少なくとも１つのキーワードと前記説明文取得手順で取得された説明文の内容との適合性を判定し、前記複数のプレビュー画像のうち最も適合性が高い画像を、前記特定のコンテンツに対応付けるプレビュー画像として決定する画像決定手順と、画像決定手順で決定されたプレビュー画像を前記表示手段で表示させるために前記操作端末へ出力する画像出力手順と、を有することを特徴とする。
【００１８】
本願第４発明は、印字ラベル作成装置を操作するための操作端末に接続されたコンテンツサーバにおいて実行され、印字ラベルの作成に係わるコンテンツに対応したプレビュー画像を操作端末に表示させる。すなわち、本願第４発明においては、予め用意された複数の上記コンテンツそれぞれに対して、当該コンテンツの内容を表す説明文が、固定的にそれぞれ対応付けられている。また、予め用意された複数の上記プレビュー画像それぞれに対して、上記複数のプレビュー画像に対して、当該プレビュー画像の表す内容に適している少なくとも１つのキーワードが、それぞれ対応付けられている。
【００１９】
そして、説明文取得手順で、特定のコンテンツに対し予め対応付けられた説明文が取得される。一方、キーワード取得手順で、各プレビュー画像ごとに予め対応付けられた少なくとも１つのキーワードが取得される。ここで、上述したように、各コンテンツの説明文は当該コンテンツの内容を表しており、各プレビュー画像のキーワードは当該プレビュー画像の内容を反映している。したがって、キーワードと説明文との間に高い合致性が存在すれば、当該説明文に対応したコンテンツと当該キーワードに対応したプレビュー画像との間にも、高い関連性があるはずである。
【００２０】
本願第４発明においてはこのような観点から、画像決定手順で、各プレビュー画像ごとに、対応する上記少なくとも１つのキーワードと上記取得された説明文の内容との適合性が判定され、当該適合性が最も高いと判定されたプレビュー画像が、上記特定のコンテンツに対応付けるプレビュー画像として決定される。これにより、画像出力手順における出力を用いて、上記操作者が指定した特定のコンテンツに最も適合するプレビュー画像を、操作端末の表示手段で表示することができる。
【００２１】
このように、本願第４発明では、各コンテンツと説明文とを対応付ける一方で、各プレビュー画像とキーワードとを対応付けて（例えば、対応付けテーブルを生成する）おき、説明文とキーワードとの合致性に基づき、コンテンツとプレビュー画像とを結びつけるようにする。これにより、前述したように、プレビュー画像の記憶のために必要なリソースを低減することができる。また、コンテンツ（又はプレビュー画像）の更新が生じた場合においても、前述したように、コンテンツの説明文を新たに生成する（又はプレビュー画像に対応付けるキーワードを新たに生成する）だけで足りるので、更新処理に要する労力及びコストを低減することができる。
【００２２】
第５発明は、上記第４発明において、各プレビュー画像に対応した前記少なくとも１つのキーワードのうち、前記説明文取得で取得された説明文に含まれるキーワードが何個あるかを、各プレビュー画像ごとにカウントするキーワード数カウント手順をさらに有し、前記画像決定手順は、前記複数のプレビュー画像のうち前記キーワード数カウント手順でのカウント値が最も大きい画像を、前記特定のコンテンツに対応付けるプレビュー画像として決定することを特徴とする。
【００２３】
キーワード数カウント手順でのカウント値が最も大きい場合は、コンテンツの説明文とプレビュー画像のキーワードとの関連性が最も高いことになる。本願第５発明においては、画像決定手順で、そのようなプレビュー画像を上記特定のコンテンツに対応付ける画像として決定する。これにより、特定のコンテンツに最も適合するプレビュー画像を高い精度で選び出し、表示することができる。
【００２４】
第６発明は、上記第４又は第５発明において、前記複数のコンテンツのうち少なくとも１つが更新されたか否か、若しくは、前記複数のプレビュー画像のうち少なくとも１つが更新されたか否か、を判定する更新判定手順をさらに有するとともに、少なくとも、前記説明文取得手順、前記キーワード取得手順、前記画像決定手順、及び前記画像出力手順は、前記更新判定手順で更新があったと判定された場合に実行することを特徴とする。
【００２５】
これにより、コンテンツ（又はプレビュー画像）の更新が生じた場合において、コンテンツ、説明文、プレビュー画像を１つのパッケージとして構成する手法に比べ、処理に要する労力及びコストを確実に低減することができる。
【００２６】
上記目的を達成するために、本願第７発明は、被印字媒体を搬送する搬送手段、及び、前記搬送手段により搬送される前記被印字媒体に対し所望の印字を行う印字手段を有し、前記所望の印字を前記被印字媒体に形成し印字ラベルを作成する印字ラベル作成装置を操作するための操作端末と、前記操作端末に対し情報送受信可能に接続されたコンテンツサーバと、を有するコンテンツ情報処理システムであって、前記コンテンツサーバは、予め用意された、前記印字ラベルの作成に係わる複数のコンテンツと、前記複数のコンテンツに対し固定的にそれぞれ対応付けられた複数の説明文と、を記憶したコンテンツ情報記憶手段と、予め用意された複数のプレビュー画像と、前記複数のプレビュー画像に対しそれぞれ対応付けられた少なくとも１つのキーワードと、を記憶したプレビュー画像情報記憶手段と、前記コンテンツ情報記憶手段にアクセスし、当該コンテンツ情報記憶手段に記憶された複数のコンテンツから選択された特定のコンテンツに対し予め対応付けられた前記説明文を取得する説明文取得手段と、前記プレビュー画像情報記憶手段にアクセスし、当該プレビュー画像情報記憶手段に記憶された複数のプレビュー画像のそれぞれに予め対応付けられた前記少なくとも１つのキーワードを取得するキーワード取得手段と、前記キーワード取得手段での取得結果に基づき、各プレビュー画像ごとに、対応する前記少なくとも１つのキーワードと前記説明文取得手段で取得された説明文の内容との適合性を判定し、前記複数のプレビュー画像のうち最も適合性が高い画像を、前記特定のコンテンツに対応付けるプレビュー画像として決定する画像決定手段と、を有し、前記操作端末は、画像決定手段で決定されたプレビュー画像を表示する表示手段を有することを特徴とする。
【００２７】
本願第７発明のコンテンツ情報処理システムは、印字ラベル作成装置を操作するための操作端末と、コンテンツサーバとを備えており、印字ラベルの作成に係わるコンテンツに対応したプレビュー画像を表示する。すなわち、本願第７発明においては、予め用意された複数の上記コンテンツそれぞれに対して、当該コンテンツの内容を表す説明文が、固定的にそれぞれ対応付けられコンテンツ情報記憶手段に記憶されている。また、予め用意された複数の上記プレビュー画像それぞれに対して、前記複数のプレビュー画像に対して、当該プレビュー画像の表す内容に適している少なくとも１つのキーワードが、それぞれ対応付けられプレビュー画像情報記憶手段に記憶されている。
【００２８】
そして、コンテンツサーバの説明文取得手段により、特定のコンテンツに対し予め対応付けられた説明文が取得される。一方、コンテンツサーバのキーワード取得手段により、各プレビュー画像ごとに予め対応付けられた少なくとも１つのキーワードが取得される。ここで、上述したように、各コンテンツの説明文は当該コンテンツの内容を表しており、各プレビュー画像のキーワードは当該プレビュー画像の内容を反映している。したがって、キーワードと説明文との間に高い合致性が存在すれば、当該説明文に対応したコンテンツと当該キーワードに対応したプレビュー画像との間にも、高い関連性があるはずである。
【００２９】
本願第７発明においてはこのような観点から、コンテンツサーバの画像決定手段で、各プレビュー画像ごとに、対応する上記少なくとも１つのキーワードと上記取得された説明文の内容との適合性が判定され、当該適合性が最も高いと判定されたプレビュー画像が、上記特定のコンテンツに対応付けるプレビュー画像として決定される。これにより、上記操作者が指定した特定のコンテンツに最も適合するプレビュー画像を、操作端末の表示手段に表示することができる。
【００３０】
このように、本願第７発明では、各コンテンツと説明文とを対応付ける一方で、各プレビュー画像とキーワードとを対応付けておき、説明文とキーワードとの合致性に基づき、コンテンツとプレビュー画像とを結びつけるようにする。これにより、前述したように、プレビュー画像の記憶のために必要なリソースを低減することができる。また、コンテンツ（又はプレビュー画像）の更新が生じた場合においても、前述したように、コンテンツの説明文を新たに生成する（又はプレビュー画像に対応付けるキーワードを新たに生成する）だけで足りるので、更新処理に要する労力及びコストを低減することができる。
【発明の効果】
【００３１】
本発明によれば、プレビュー画像の記憶のために必要なリソースを低減できるとともに、かつ、コンテンツやプレビュー画像の更新処理に要する労力及びコストを低減することができる。
【図面の簡単な説明】
【００３２】
【図１】本発明の一実施形態のコンテンツ情報処理システムの概略を表すシステム構成図である。
【図２】コンテンツ情報処理システムの詳細機能を表す機能ブロック図である。
【図３】テンプレートのインストール時における作端末の表示部の表示例を表す図である。
【図４】テンプレート、プレビュー画像、説明文が１つのパッケージとして用意される比較例を表す説明図である。
【図５】プレビュー画像を追加しパッケージをリニューアルする場合に必要となる処理を説明する説明図である。
【図６】本発明の一実施形態において、プレビュー画像に付加したキーワードと、各パッケージの説明文を用いて、テンプレートとプレビュー画像を対応づける手法を表す説明図である。
【図７】比較例におけるパッケージとプレビュー画像との対応付けを表すテーブル、及び、本発明の一実施形態においてコンテンツサーバに記憶された、パッケージとプレビュー画像との対応付けを表すテーブルである。
【図８】プレビュー画像を追加しリニューアルする場合に必要となる処理を説明する説明図である。
【図９】コンテンツサーバのＣＰＵによって実行される制御手順を表すフローチャートである。
【発明を実施するための形態】
【００３３】
以下、本発明の一実施の形態を図面を参照しつつ説明する。
【００３４】
＜システム概略構成＞
本実施形態のコンテンツ情報処理システム全体の構成を図１及び図２により説明する。図１において、コンテンツ情報処理システム１は、コンテンツサーバＳＶと、例えば汎用パーソナルコンピュータで構成される操作端末２と、例えばＵＳＢ等のインターフェースを介して操作端末２に接続されたラベルプリンタ（印字ラベル作成装置）３とを有している。そして、コンテンツサーバＳＶ、操作端末２、及びラベルプリンタ３は、ネットワークＮＷを介して互いに接続されている。なお、本実施形態では、コンテンツとして、ラベルプリンタ３での印字ラベルの作成に用いられるテンプレート（詳細は後述）が、コンテンツサーバＳＶから操作端末を介してラベルプリンタ３に提供される場合を例にとって説明する。ラベルプリンタ３は、操作端末２との間で各種の情報と指示信号を送受し、操作端末での操作に基づき所望の文字や図形などの印字を備えた印字ラベルＬを作成する。
【００３５】
操作端末２は、図２に示すように、ＣＰＵ（中央演算装置）１２と、例えばＲＡＭやＲＯＭ等からなるメモリ１３と、操作者であるユーザからの指示や情報が入力される操作部１４と、各種情報やメッセージを表示する表示部１７（表示手段）と、ネットワークＮＷを介してラベルプリンタ３との情報信号の授受の制御を行う通信制御部１５と、を備えている。
【００３６】
コンテンツサーバＳＶは、図２に示すように、ＣＰＵ１２０（演算手段）と、例えばＲＡＭやＲＯＭ等からなるメモリ１３０と、ネットワークＮＷを介して操作端末２及びラベルプリンタ３との情報信号の授受の制御を行う通信制御部１５０と、ハードディスク装置からなり各種情報（詳細は後述）を記憶する大容量記憶装置１６０（コンテンツ情報記憶手段、プレビュー画像記憶手段）と、を備えている。
【００３７】
ＣＰＵ１２０及びＣＰＵ１２は、ＲＡＭの一時記憶機能を利用しつつＲＯＭに予め記憶されたプログラムに従って信号処理を行う。ＣＰＵ１２は、上記信号処理により、ラベルプリンタ３との間で、ネットワークＮＷを通じて各種の指示信号・情報信号の送受を行う。ＣＰＵ１２０は、上記信号処理により、操作端末２との間で、ネットワークＮＷを通じて各種の指示信号・情報信号の送受を行う。
【００３８】
ラベルプリンタ３は、図２に示すように、被印字媒体としてのテープ（本来は渦巻き状であるが簡略化して同心円で図示している）２０３を巻回したテープロール２０４を着脱可能な（又はテープロール２０４を備えたカートリッジを着脱可能な）テープロールホルダ部２１０と、このテープロール２０４から繰り出されたテープ２０３に所望の印字を行う印字ヘッド２０５（印字手段）と、印字が終了したテープ２０３を所定の長さに切断して印字ラベルＬとするカッタ２０７と、印字ヘッド２０５に対向して設けられ、制御回路２０２により制御されてテープロール２０４からのテープ２０３を搬送する搬送装置２０９（搬送手段）と、を有する。また制御回路２０２は、通信制御部２０８を介しネットワークＮＷによって操作端末２の通信制御部１５及びコンテンツサーバＳＶの通信制御部１５０と接続されており、操作端末２及びコンテンツサーバＳＶと情報の送受が可能となっている。
【００３９】
＜テンプレート＞
以上において、本実施形態では、コンテンツサーバＳＶの大容量記憶装置１６０に、予め作成されアップロードされたラベルイメージからなる、複数種類のテンプレートが書き換え不能に記憶されている。これらテンプレートは、所定のラベル長さと所定の印字内容とをそれぞれ備えている。各テンプレートは、操作端末１４の操作部１４における適宜のユーザの操作（後述）により、大容量記憶装置ラベルイメージメモリ２２０から読み出されダウンロードされ、ネットワークＮＷを介しラベルプリンタ３の制御回路２０２内の適宜のメモリにインストールされる（あるいはいったん操作端末２へダウンロード後にラベルプリンタ３へインストールするようにしてもよい）。
【００４０】
＜操作端末の操作及び表示例＞
上記テンプレートのインストール時における、操作端末１４の操作及び表示部１７の表示の例を、図３を用いて説明する。
【００４１】
図３に、上記テンプレートのインストールを行う際に表示部１７に表示される入力操作画面１７Ａを示す。この入力操作画面１７Ａには、ラベルプリンタ３の機器識別情報（この例では機種名）を選択可能に表示する機器表示ボックス１７ａと、「転送」ボタン１７ｂと、「閉じる」ボタン１７ｃと、コンテンツ（この例ではテンプレート）をリスト表示するファイル一覧ボックス１７ｄと、「リスト更新」ボタン１７ｅと、各コンテンツに対応したプレビュー画像Ｐ及び説明文Ｗが表示される表示欄１７ｆと、が設けられている。
【００４２】
機器表示ボックス１７ａには、この例では、複数のラベルプリンタ３の機種名が一括して表示（この例ではプルダウン表示）される。ユーザが操作部１４を適宜に操作し、このようにして表示されたラベルプリンタ３の機種名のうち、いずれか１つを選択すると、選択結果に対応する信号がコンテンツサーバＳＶへ送信され、コンテンツサーバＳＶにおいて、当該選択された機種名に対応したコンテンツが検索される。この検索結果が、上記ファイル一覧ボックス１７ｄにリスト表示される。
【００４３】
ファイル一覧ボックス１７ｄには、各テンプレートの名称、バージョン名、容量（サイズ）がこの順序で表示されている。この例では、上記機器表示ボックス１７ａでの「ＰＴ−２７３０」の選択に対応するテンプレートとして、「備品管理ラベル（１８ｍｍ）テンプレート」「備品管理ラベル（２４ｍｍ）テンプレート」「ファイルラベル（１２ｍｍ）テンプレート」「ファイルラベル（１８ｍｍ）テンプレート」「名札ラベル（１８ｍｍ）テンプレート」「名札ラベル（２４ｍｍ）テンプレート」の６種類が表示されている。
【００４４】
このとき、本実施形態では、各テンプレートの概要や注意点をダウンロード前に容易に知ることができるように、テンプレートにプレビュー画像と説明文とが付加されている。そして、ユーザが操作部１４を適宜に操作し、上記ファイル一覧ボックス１７ｄに一覧表示されたテンプレートのいずれかにカーソルを合わせて反転表示させると、その反転表示されたテンプレートに対して付加されたプレビュー画像と説明文とが、上記表示欄１７ｆに表示される。この例では、ファイル一覧ボックス１７ｄにおいて、「ファイルラベル（１２ｍｍ）テンプレート」が反転表示されている。そして、これに対応して表示欄１７ｆには、対応するプレビュー画像Ｐ（３冊のファイルが含まれている画像）と、その説明文Ｗ（「『ファイル用ラベル（１２ｍｍ）』テンプレートです。ファイルの整理整頓に役立つラベルを作成するためのテンプレートです。・・）と、が表示されている。
【００４５】
一方、ファイル一覧ボックス１７ｄの各テンプレートの名称の表示の左端には、当該テンプレートをユーザが選択可能とするためのチェックボックスが設けられている。ユーザが操作部１４を適宜に操作し、上記一覧表示されたテンプレートのいずれかのチェックボックスにチェックを入れて選択し、「転送」ボタン１７ｂを押すことにより、当該選択されたテンプレートがコンテンツサーバＳＶからラベルプリンタ３（又は操作端末２）へ転送されてインストールされる。なお、図示の例では、「ファイルラベル（１２ｍｍ）テンプレート」のチェックボックスにチェックが入れられて選択されている状態を示している。
【００４６】
なお、「リスト更新」ボタン１７ｅは、コンテンツサーバＳＶから受信されて機器表示ボックス１７ａにリスト表示される内容を、再受信して更新するためのボタンである。また、「閉じる」ボタン１７ｃは、この入力操作画面１７Ａをクローズする（もしくは移行前の前画面に移行する）ためのボタンである。
【００４７】
＜テンプレートを用いた印字ラベルの作成＞
上記のようにしてラベルプリンタ３内にインストールされた複数種類のテンプレートは、操作端末１４の操作部１４（又はラベルプリンタ３に設けた操作部。以下同様）における適宜のユーザの操作により、１つずつ選択可能に表示部１７（又はラベルプリンタ３に設けた表示部）に切り替えて表示することができる。ユーザは、そのようにして表示部１７に表示された複数のテンプレートの中から、操作部１４での適宜の操作によって、所望の特定のテンプレートを選択しラベル作成指示を行う。これにより、制御回路２０２の制御により、上記テンプレートに対応した印字データに基づき、印字ヘッド２０５による印字がテープ２０３に対して行われる。これにより、ユーザは、上記選択した特定のテンプレートの内容と同一の内容の所望の印字が印刷された印字ラベルＬを生成することができる。
【００４８】
＜本実施形態の特徴＞
以上において、本実施形態の特徴は、上記の各テンプレートと、対応するプレビュー画像Ｐ及び説明文Ｗとの、対応付けのさせ方にある。以下、その詳細を順を追って説明する。
【００４９】
＜パッケージ方式の比較例＞
まず、本実施形態の比較例として、テンプレートと、当該テンプレートに対応するプレビュー画像と、当該テンプレートに対応する説明文とが、１つのパッケージとして用意されている場合を図４及び図５を用いて説明する。
【００５０】
＜各パッケージの詳細及び問題点＞
図４（ａ）〜（ｃ）に示すように、この例では、ファイルラベルテンプレートＦＴ、備品管理ラベルテンプレートＢＴ、名札ラベルテンプレートＮＴの３つがコンテンツとしてそれぞれ用意されており、それぞれ、第１パッケージＰＫ１、第２パッケージＰＫ２、第３パッケージＰＫ３にそれぞれ組み込まれている。
【００５１】
このとき、図４（ａ）に示すように、第１パッケージＰＫ１には、上記ファイルラベルテンプレートＦＴのほか、当該ファイルラベルテンプレートＦＴに対応づけられたプレビュー画像Ｐａ（３冊のファイルが含まれている画像）と、当該ファイルラベルテンプレートＦＴに対応づけられた説明文Ｗ１（「オフィス向けラベルです。ファイル用です。」）と、が含まれている。
【００５２】
また、図４（ｂ）に示すように、第２パッケージＰＫ２には、上記備品管理ラベルテンプレートＢＴのほか、当該備品管理ラベルテンプレートＢＴに対応づけられた上記プレビュー画像Ｐａと、当該備品管理ラベルテンプレートＢＴに対応づけられた説明文Ｗ２（「オフィス向けラベルです。備品管理用です。」）と、が含まれている。なお、この例では、第２パッケージＰＫ２に含まれる備品管理ラベルテンプレートＢＴと、第１パッケージＰＫ１に含まれるファイルラベルテンプレートＦＴとは、大別するとオフィス向けの用途である（それぞれの説明文参照）ことから、第２パッケージＰＫ２にも、第１パッケージＰＫ１と同一のプレビュー画像Ｐａ（３冊のファイルが含まれている画像）が使用されている。
【００５３】
また、図４（ｃ）に示すように、第３パッケージＰＫ３には、上記名札ラベルテンプレートＮＴのほか、当該名札ラベルテンプレートＮＴに対応づけられた上記プレビュー画像Ｐａと、当該名札ラベルテンプレートＮＴに対応づけられた説明文Ｗ３（「オフィス向けラベルです。名札用です。」）と、が含まれている。なお、この例では、第３パッケージＰＫ３に含まれる名札ラベルテンプレートＮＴについても、上記同様、大別するとオフィス向けの用途である（説明文参照）ことから、第３パッケージＰＫ３にも、第１パッケージＰＫ１及び第２パッケージＰＫ２と同一のプレビュー画像Ｐａ（３冊のファイルが含まれている画像）が使用されている。
【００５４】
この比較例では、上記したように、コンテンツであるテンプレート（ファイルラベルテンプレートＦＴ、備品管理ラベルテンプレートＢＴ、名札ラベルテンプレートＮＴ）と、当該テンプレートに対応するプレビュー画像Ｐａと、当該テンプレートに対応する説明文Ｗ１，Ｗ２，Ｗ３とが、それぞれ１つのパッケージＰＫ１，ＰＫ２，ＰＫ３として用意されている。このため、テンプレートと同一数（この例では３つ）だけプレビュー画像Ｐａが必要になる。したがって、複数のパッケージＰＫ（この例では各パッケージＰＫ１，ＰＫ２、ＰＫ３のすべて）で互いに共通のプレビュー画像Ｐａを用いる場合であっても、各パッケージＰＫ１，ＰＫ２，ＰＫ３において当該共通のプレビュー画像Ｐａが重複されてパッケージ化されることとなり、それらを記憶しておくために無駄なリソースが必要となる。なお、複数のパッケージＰＫそれぞれに共通の説明文Ｗが使用される場合も同様であり、重複されてパッケージ化されることとより無駄なリソースが必要となる。
【００５５】
＜プレビュー画像の更新及び当該更新時の問題点＞
上記図４（ａ）〜図４（ｃ）を用いて上述したように、上記第１パッケージＰＫ１、第２パッケージＰＫ２、第３パッケージＰＫ３において、それぞれに含まれるファイルラベルテンプレートＦＴ、備品管理ラベルテンプレートＢＴ、名札ラベルテンプレートＮＴが大別するとオフィス向けの用途である（説明文参照）ことから、それら第１パッケージＰＫ１、第３パッケージＰＫ３、第３パッケージＰＫ３に、同一のプレビュー画像Ｐａ（３冊のファイルが含まれている画像）が使用されていた。しかしながら、ユーザの要望あるいはその後の商品の改良等の事情により、上記のようなプレビュー画像Ｐの共通化を止め、第１パッケージＰＫ１、第３パッケージＰＫ３、第３パッケージＰＫ３それぞれに個別のプレビュー画像Ｐａ，Ｐｂ，Ｐｃ（後述）を使用するように作り替える（リニューアルする）場合があり得る。
【００５６】
図５（ａ）〜図５（ｃ）は、上記リニューアル後の各パッケージＰＫ１，ＰＫ２，ＰＫ３を示している。図５（ａ）に示すように、第１パッケージＰＫ１については、前述の図４（ａ）と同様、上記ファイルラベルテンプレートＦＴのほか、上記プレビュー画像Ｐａ（３冊のファイルが含まれている画像）と、上記説明文Ｗ１（「オフィス向けラベルです。ファイル用です。」）と、が含まれている。
【００５７】
一方、図５（ｂ）に示すように、第２パッケージＰＫ２においては、上記図４（ｂ）における上記プレビュー画像Ｐａ（３冊のファイルが含まれている画像）から、プレビュー画像Ｐｂ（備品である３本のボトルが含まれている画像）へと新たに差し替えられている。すなわち、第２パッケージＰＫ２には、備品管理ラベルテンプレートＢＴと、上記新たなプレビュー画像Ｐｂと、図４（ｂ）と同様の上記説明文Ｗ２と、が含まれる。
【００５８】
また、図５（ｃ）に示すように、第３パッケージＰＫ３においては、上記図４（ｃ）における上記プレビュー画像Ｐａ（３冊のファイルが含まれている画像）から、プレビュー画像Ｐｃ（名札が含まれている画像）へと新たに差し替えられている。すなわち、第３パッケージＰＫ３には、名札ラベルテンプレートＮＴと、上記新たなプレビュー画像Ｐｃと、図４（ｃ）と同様の上記説明文Ｗ３と、が含まれる。
【００５９】
ここで、この比較例においては、上述したように、テンプレートＦ、プレビュー画像Ｐ、説明文Ｗが１つのパッケージＰＫとして用意されている。そのため、図４（ａ）〜図４（ｃ）に示す第１パッケージＰＫ１〜第３パッケージＰＫ３から、図５（ａ）〜図５（ｃ）に示す第１パッケージＰＫ１〜第３パッケージＰＫ３へのリニューアルされる場合、プレビュー画像Ｐが差し替えられる上記第２パッケージＰＫ２及び第３パッケージＰＫ３については、パッケージ全体の作り直しが必要となる（図５（ｂ）及び図５（ｃ）参照）。この結果、リニューアル処理に要する労力及びコストが増大するという問題点があった。
【００６０】
＜本実施形態の手法＞
そこで、本実施形態においては、上記比較例のような、テンプレートＦ、プレビュー画像Ｐ、説明文Ｗの３つを１つのパッケージＰＫとするパッケージ化を止め、テンプレートＦ及び説明文Ｗの２つのみを１つのパッケージＰＫに含めるようにする。その一方、各プレビュー画像Ｐに、当該プレビュー画像Ｐの内容に適している少なくとも１つのキーワードを付加しておく。そして、各パッケージＰＫにおける説明文Ｗと、上記プレビュー画像Ｐのキーワードとの適合性（詳細には、説明文Ｗ中にキーワードが含まれるかどうか。詳細は後述）に応じて、各プレビュー画像Ｐと各パッケージＰＫとの対応づけを構築する。その詳細を図６、図７、図８を用いて説明する。
【００６１】
図６では、上記図４（ａ）〜（ｃ）に示した比較例に対応しており、ファイルラベルテンプレートＦＴ、備品管理ラベルテンプレートＢＴ、名札ラベルテンプレートＮＴの３つに対し、それぞれ共通の上記プレビュー画像Ｐａを用いる場合である。すなわち、図６に示すように、この例では、上記同様のファイルラベルテンプレートＦＴ、備品管理ラベルテンプレートＢＴ、及び名札ラベルテンプレートＮＴの３つが、それぞれ、第１パッケージＰＫ１、第２パッケージＰＫ２、第３パッケージＰＫ３にそれぞれ組み込まれている。そして、上記第１パッケージＰＫ１、第２パッケージＰＫ２、第３パッケージＰＫ３それぞれに含まれるファイルラベルテンプレートＦＴ、備品管理ラベルテンプレートＢＴ、名札ラベルテンプレートＮＴは、大別するとオフィス向けの用途である（説明文参照）ことから、それら第１〜第３パッケージＰＫ１〜ＰＫ３に対し同一のプレビュー画像Ｐａ（３冊のファイルが含まれている画像）が共通に使用される。
【００６２】
なお、この例では、特に大きなサイズの名札用ラベルの作成に対応した名札ラベル（大）テンプレートＮＴ′が新たに設けられ、第４パッケージＰＫ４に組み込まれている。この第４パッケージＰＫ４についても、上記と同一のプレビュー画像Ｐａ（３冊のファイルが含まれている画像）が使用される。
【００６３】
すなわち、第１パッケージＰＫ１には、上記ファイルラベルテンプレートＦＴのほか、当該ファイルラベルテンプレートＦＴに対応づけられた上記説明文Ｗ１（「オフィス向けラベルです。ファイル用です。」）のみが含まれている。第２パッケージＰＫ２には、上記備品管理ラベルテンプレートＢＴのほか、当該備品管理ラベルテンプレートＢＴに対応づけられた上記説明文Ｗ２（「オフィス向けラベルです。備品管理用です。」）のみが含まれている。第３パッケージＰＫ３には、上記名札ラベルテンプレートＮＴのほか、当該名札ラベルテンプレートＮＴに対応づけられた上記説明文Ｗ３（「オフィス向けラベルです。名札用です。」）のみが含まれている。また、第４パッケージＰＫ４には、上記名札ラベル（大）テンプレートＮＴ′のほか、当該名札ラベル（大）テンプレートＮＴ′に対応づけられた説明文Ｗ４（「オフィス向けラベルです。名札用です。サイズ大です」）のみが含まれている。
【００６４】
一方、上記１つのプレビュー画像Ｐａに対して、この例では、「オフィス向け」「ファイル用」という２つのキーワードが付加されている。そして、前述したように、各パッケージＰＫが上記プレビュー画像Ｐａに対応付けられる際は、各パッケージＰＫにおける説明文Ｗに、プレビュー画像Ｐａのキーワード「オフィス向け」「ファイル用」のどれかが含まれる場合に当該プレビュー画像Ｐａに対して、対応付けが行われる。なお、該当するプレビュー画像Ｐが複数ある場合には、含まれているキーワード数が最も多いプレビュー画像Ｐに対して、対応付けが行われる（詳細は後述）。
【００６５】
すなわち、パッケージＰＫ１においてファイルラベルテンプレートＦＴに対応づけられている説明文Ｗ１「オフィス向けラベルです。ファイル用です。」には、上記プレビュー画像Ｐａの２つのキーワード「オフィス向け」「ファイル用」がいずれも含まれている。したがって、このパッケージＰＫ１には、上記プレビュー画像Ｐａが対応づけられる（太破線の矢印参照）。
【００６６】
また、パッケージＰＫ２において備品管理ラベルテンプレートＢＴに対応づけられている説明文Ｗ２「オフィス向けラベルです。備品管理用です。」には、上記プレビュー画像Ｐａの２つのキーワード「オフィス向け」「ファイル用」のうち、「オフィス向け」のキーワードが含まれている。したがって、このパッケージＰＫ２にも、上記プレビュー画像Ｐａが対応づけられる（太破線の矢印参照）。
【００６７】
同様に、パッケージＰＫ３において名札ラベルテンプレートＮＴに対応づけられている説明文Ｗ３「オフィス向けラベルです。名札用です。」には、上記プレビュー画像Ｐａの２つのキーワード「オフィス向け」「ファイル用」のうち、「オフィス向け」のキーワードが含まれている。したがって、このパッケージＰＫ３にも、上記プレビュー画像Ｐａが対応づけられる（太破線の矢印参照）。
【００６８】
同様に、パッケージＰＫ４において名札ラベル（大）テンプレートＮＴ′に対応づけられている説明文Ｗ４「オフィス向けラベルです。名札用です。サイズ大です」には、上記プレビュー画像Ｐａの２つのキーワード「オフィス向け」「ファイル用」のうち、「オフィス向け」のキーワードが含まれている。したがって、このパッケージＰＫ４にも、上記プレビュー画像Ｐａが対応づけられる（太破線の矢印参照）。
【００６９】
以上のようにして、本実施形態では、上記の例では、第１パッケージＰＫ１、第２パッケージＰＫ２、第３パッケージＰＫ３、及び第４パッケージＰＫ４のいずれにも、プレビュー画像Ｐａが対応づけられる。この対応付けを表す、例えば図７（ａ）に示すようなテーブルが生成され、コンテンツサーバＳＶの上記大容量記憶装置１６０に記憶される。
【００７０】
上述のように、この例では複数のパッケージＰＫ（この例ではパッケージＰＫ１，ＰＫ２，ＰＫ３，ＰＫ４のすべて）で互いに共通のプレビュー画像Ｐａが用いられる。しかしながら、上記のようにプレビュー画像Ｐａのキーワードと各パッケージＰＫ１〜ＰＫ４の説明文Ｗ１〜Ｗ４との適合性によりパッケージＰＫとプレビュー画像Ｐとの間の対応付けを行うので、１つのプレビュー画像Ｐａのみを所定のリソース（この例ではコンテンツサーバＳＶの大容量記憶装置１６０）に記憶しておけば足りる。すなわち、図４（ａ）〜（ｄ）に示した比較例のように各パッケージＰＫごとに共通のプレビュー画像Ｐａが重複されてパッケージ化される必要はなくなるので、無駄なリソースが必要となることはない。
【００７１】
＜プレビュー画像の更新＞
上述したように、上記パッケージＰＫ１〜ＰＫ４において、それぞれに含まれるファイルラベルテンプレートＦＴ、備品管理ラベルテンプレートＢＴ、名札ラベルテンプレートＮＴ、名札ラベル（大）テンプレートＮＴ′が大別するとオフィス向けの用途である（説明文参照）ことから、それらパッケージＰＫ１〜ＰＫ４に同一のプレビュー画像Ｐａ（３冊のファイルが含まれている画像）が対応づけられていた。このとき、前述の比較例において図５（ａ）及び図５（ｂ）を用いて説明したように、ユーザの要望あるいはその後の商品の改良等の事情により、上記のようなプレビュー画像Ｐの共通化を止め、もう少し各パッケージＰＫ１〜ＰＫ４の内容に対応して細別化された、上記プレビュー画像Ｐａ，Ｐｂ，Ｐｃを使用するように作り替える（リニューアルする）場合があり得る。
【００７２】
図８は、上記リニューアル後の上記プレビュー画像Ｐａ，Ｐｂ，Ｐｃと各パッケージＰＫ１，ＰＫ２，ＰＫ３，ＰＫ４との対応付けの様子を示している。図示のように、このリニューアルにより、上記プレビュー画像Ｐａ（３冊のファイルが含まれている画像）に加え、上記プレビュー画像Ｐｂ（備品である３本のボトルが含まれている画像）と、上記プレビュー画像Ｐｃ（名札が含まれている画像）とが、新たに用意される。そして、プレビュー画像Ｐｂに対して「オフィス向け」「備品管理用」という２つのキーワードが付加され、プレビュー画像Ｐｃに対して「オフィス向け」「名札用」という２つのキーワードが付加されている。なおこのリニューアル時においても、各パッケージＰＫ１，ＰＫ２，ＰＫ３，ＰＫ４の内容（テンプレートＦＴ，ＢＴ，ＮＴ，ＮＴ′及び説明文Ｗ１，Ｗ２，Ｗ３，Ｗ４）は、特に内容を変える必要はない。
【００７３】
前述したように、本実施形態においては、各パッケージＰＫが上記プレビュー画像Ｐａ，Ｐｂ，Ｐｃに対応付けられる際は、各パッケージＰＫにおける説明文Ｗと、プレビュー画像Ｐに付加されたキーワードとの適合性が最も高い（この例ではプレビュー画像Ｐに含まれるキーワードワード数が最も多い）当該プレビュー画像Ｐとが、対応付けられる。
【００７４】
すなわち、図８において、パッケージＰＫ１においてファイルラベルテンプレートＦＴに対応づけられている説明文Ｗ１「オフィス向けラベルです。ファイル用です。」には、上記プレビュー画像Ｐａの２つのキーワード「オフィス向け」「ファイル用」が２つとも含まれる。その一方、上記プレビュー画像Ｐｂについては、その２つのキーワード「オフィス向け」「備品管理用」のうち、１つのキーワード「オフィス向け」しか含まれず、同様に上記プレビュー画像Ｐｃについては、その２つのキーワード「オフィス向け」「名札用」のうち、１つのキーワード「オフィス向け」しか含まれない。すなわち、プレビュー画像Ｐａに対しては共通キーワード数２個、プレビュー画像Ｐｂ，Ｐｃに対しては共通キーワード数１個となる。したがって、第１パッケージＰＫ１は、プレビュー画像Ｐａへと対応付けられる（太破線の矢印参照）。
【００７５】
一方、パッケージＰＫ２において備品管理ラベルテンプレートＢＴに対応づけられている説明文Ｗ２「オフィス向けラベルです。備品管理用です。」には、上記プレビュー画像Ｐａの２つのキーワード「オフィス向け」「ファイル用」のうち、１つのキーワード「オフィス向け」しか含まれない。その一方、上記プレビュー画像Ｐｂについては、その２つのキーワード「オフィス向け」「備品管理用」の２つとも含まれる。また、上記プレビュー画像Ｐｃについては、その２つのキーワード「オフィス向け」「名札用」のうち、１つのキーワード「オフィス向け」しか含まれない。すなわち、プレビュー画像Ｐｂに対しては共通キーワード数２個、プレビュー画像Ｐａ，Ｐｃに対しては共通キーワード数１個となる。したがって、第２パッケージＰＫ２は、プレビュー画像Ｐｂへと対応付けられる（太破線の矢印参照）。
【００７６】
また、パッケージＰＫ３において名札ラベルテンプレートＮＴに対応づけられている説明文Ｗ３「オフィス向けラベルです。名札用です。」には、上記プレビュー画像Ｐａの２つのキーワード「オフィス向け」「ファイル用」のうち１つのキーワード「オフィス向け」しか含まれず、上記プレビュー画像Ｐｂについての２つのキーワード「オフィス向け」「備品管理用」についてもそのうちの１つのキーワード「オフィス向け」しか含まれない。その一方、上記プレビュー画像Ｐｃについては、その２つのキーワード「オフィス向け」「名札用」の２つともが含まれる。すなわち、プレビュー画像Ｐｃに対しては共通キーワード数２個、プレビュー画像Ｐａ，Ｐｂに対しては共通キーワード数１個となる。したがって、第３パッケージＰＫ３は、プレビュー画像Ｐｃへと対応付けられる（太破線の矢印参照）。
【００７７】
さらに、パッケージＰＫ４において名札ラベル（大）テンプレートＮＴ′に対応づけられている説明文Ｗ４「オフィス向けラベルです。名札用です。サイズ大です。」には、上記プレビュー画像Ｐａの２つのキーワード「オフィス向け」「ファイル用」のうち１つのキーワード「オフィス向け」しか含まれず、上記プレビュー画像Ｐｂについての２つのキーワード「オフィス向け」「備品管理用」についてもそのうちの１つのキーワード「オフィス向け」しか含まれない。その一方、上記同様、プレビュー画像Ｐｃについては、その２つのキーワード「オフィス向け」「名札用」の２つともが含まれる。すなわち、プレビュー画像Ｐｃに対しては共通キーワード数２個、プレビュー画像Ｐａ，Ｐｂに対しては共通キーワード数１個となる。したがって、第４パッケージＰＫ４は、第３パッケージＰＫ３と同様、プレビュー画像Ｐｃへと対応付けられる（太破線の矢印参照）。
【００７８】
図８に示したように、プレビュー画像Ｐｂ，Ｐｃが新たに作成されることで、第２パッケージＰＫ２、第３パッケージＰＫ３、第４パッケージＰＫ４については、それまでのプレビュー画像Ｐａを対応付けていた状態から、新たにプレビュー画像Ｐｂ，Ｐｃが対応づけられる状態へとリニューアルされている。本実施形態においては、このようなリニューアル時においても、プレビュー画像Ｐｂ，Ｐｃに対応付けるキーワード（「オフィス向け」「備品管理用」「名札用」）を適宜に新たに生成することで、プレビュー画像Ｐａ，Ｐｂ，Ｐｃと各パッケージＰＫ１，ＰＫ２，ＰＫ３，ＰＫ４との対応付けを新たに構築すれば足りる。この場合には、上記図７（ａ）に示した、対応付けを表すテーブルは、例えば、図７（ｂ）に示すように更新されることとなる。
【００７９】
なお、上記ではプレビュー画像Ｐが新たに生成された（プレビュー画像Ｐｂ，Ｐｃ）場合を例にとって説明したが、パッケージＰＫ内の説明文Ｗが新たに生成された場合も上記同様に対応付けテーブルをリニューアルするだけで対応付けを新たに構築することができる。
【００８０】
＜制御手順＞
上述した手法によるコンテンツ情報処理方法を実行するために、コンテンツサーバＳＶのＣＰＵ１２０が、メモリ１３０の上記ＲＯＭ（又は大容量記憶装置１６０）に記憶されたコンテンツ情報処理プログラムにより実行する制御手順を、図９に示す。
【００８１】
まず、ステップＳ１０において、ＣＰＵ１２０は、既に大容量記憶装置１６０内に記憶されている、上記図６や図８に一例を示したような各パッケージＰＫとプレビュー画像Ｐとの対応付けにおいて、コンテンツ（この例ではテンプレート。以下同様）若しくはプレビュー画像Ｐの更新が行われたかどうか、を判定する。なお、この「更新」には、大容量記憶装置１６０内に上記対応付けが全く記憶されていない状態において、新規に上記対応付けが作成され記憶された場合（＝新規作成時）も含む。更新が行われるまでは判定が満たされずループ待機し、更新が行われた場合には判定が満たされ、ステップＳ１１に移る。なお、このステップＳ１０が各請求項記載の更新判定手順に相当する。
【００８２】
ステップＳ１１では、ＣＰＵ１２０は、テンプレートの順番を指定する変数Ｎを初期値１とする。その後、ステップＳ１２に移る。
【００８３】
ステップＳ１２では、ＣＰＵ１２０は、上記更新により大容量記憶装置１６０に対応付け対象として用意された、すべてのプレビュー画像Ｐ（あるいはその画像名称や番号等の識別情報のみでもよい。以下、同様）を大容量記憶装置１６０から取得する。
【００８４】
その後、ステップＳ１３に移り、ＣＰＵ１２０は、ステップＳ１２で取得されたすべてのプレビュー画像Ｐそれぞれについて、対応するキーワードを大容量記憶装置１６０から取得する。その後、ステップＳ１４に移る。なお、このステップＳ１４が各請求項記載のキーワード取得手順に相当するとともに、キーワード取得手段として機能する。
【００８５】
ステップＳ１４では、ＣＰＵ１２０は、上記更新により大容量記憶装置１６０に記憶されている処理対象のすべてのテンプレートのうち、Ｎ番目のテンプレートに係わる説明文Ｗを取得する。最初はステップＳ１１においてＮ＝１に設定されていることから、１番目のテンプレートについての説明文Ｗが取得される。なお、このステップＳ１４が各請求項記載の説明文取得手順に相当するとともに、説明文取得手段として機能する。
【００８６】
その後、ステップＳ１５に移り、ＣＰＵ１２０は、上記ステップＳ１４で取得された説明文Ｗと、ステップＳ１３で取得されたすべてのプレビュー画像Ｐのキーワードとの共通部分の数（キーワードヒット数）を、各プレビュー画像Ｐごとにカウントする。例えば前述の図８で示す例に沿うと、１番目のテンプレートとしての第１パッケージＰＫ１のファイルラベルテンプレートＦＴの説明文Ｗ１「オフィス向けラベルです。ファイル用です。」に対し、最初のプレビュー画像Ｐａのキーワード「オフィス向け」「ファイル用」との上記キーワードヒット数が「２」とカウントされ、次のプレビュー画像Ｐｂのキーワード「オフィス向け」「備品管理用」との上記キーワードヒット数が「１」とカウントされ、最後のプレビュー画像Ｐｃのキーワード「オフィス向け」「名札用」との上記キーワードヒット数が「１」とカウントされる。なお、このステップＳ１５が各請求項記載のキーワード数カウント手順に相当する。
【００８７】
そして、ステップＳ１６において、ＣＰＵ１２０は、上記ステップＳ１５におけるキーワードヒット数が０であったかどうかを判定する。キーワードヒット数が０であった場合には判定が満たされ（Ｓ１６：ＹＥＳ）、ステップＳ１７に移る。
【００８８】
ステップＳ１７では、ＣＰＵ１２０は、このときの処理対象であるＮ番目のテンプレートを含むパッケージＰＫに対し、（上記キーワードヒット数０のときのために予め一律に設定された）デフォルト画像を対応付け、後述のステップＳ１９に移る。
【００８９】
一方、ステップＳ１６において、キーワードヒット数が１以上の場合は判定が満たされず（Ｓ１６：ＮＯ）、ステップＳ１８に移る。
【００９０】
ステップＳ１８では、ＣＰＵ１２０は、ステップＳ１５のカウント結果に応じて、キーワードヒット数が最大であったプレビュー画像Ｐに対し、このときの処理対象であるＮ番目のテンプレートを含むパッケージＰＫを対応づける。図８の前述の例に沿うと、ファイルラベルテンプレートＦＴを含む第１パッケージＰＫ１には、キーワードヒット数が最大値２であった最初のプレビュー画像Ｐａが対応づけられる。これにより、前述の図３に示した操作端末１４の表示部１７での入力操作画面１７Ａにおいて、ファイル一覧ボックス１７ｄに一覧表示されたテンプレートのいずれかのテンプレートにカーソルが合わせられ反転したときに、当該反転表示されたテンプレートに対し上記のようにして対応づけられたプレビュー画像Ｐが、上記表示欄１７ｆに表示される。このときのプレビュー画像Ｐを操作端末２へ出力する手順が、各請求項記載の画像出力手順に相当している。また、ステップＳ１８は、各請求項記載の画像決定手順に相当するとともに、画像決定手段として機能する。
【００９１】
上記ステップＳ１７又はステップＳ１８が終了すると、ステップＳ１９に移る。ステップＳ１９では、ＣＰＵ１２０は、大容量記憶装置１６０内に記憶された、処理対象のすべてのテンプレートに対する処理が終了したかどうかを判定する。まだ未処理のテンプレートが残っている間はステップＳ１９の判定が満たされず（ステップＳ１９：ＮＯ）、ステップＳ２０に移る。
【００９２】
ステップＳ２０では、ＣＰＵ１２０は上記Ｎの値に１を加え、前述のステップＳ１４へ移り、以降、同様の手順を繰り返す。これにより、ステップＳ２０において順次Ｎの値を加えることで処理対象となるテンプレートを順次移しながら、ステップＳ１５においてキーワードヒット数のカウントが行われ、各テンプレートが、キーワードヒット数が最大のプレビュー画像Ｐに対して順次対応づけられていく（キーワードヒット数が０の場合はステップＳ１７でデフォルト画像が対応づけられる）。そして、すべてのテンプレートの処理が終了した時点でステップＳ１９の判定が満たされ（Ｓ１９：ＹＥＳ）、このフローを終了する。
【００９３】
以上説明したように、本実施形態においては、各テンプレートと説明文Ｗとを対応付ける一方で、各プレビュー画像Ｐとキーワードとを対応付けておき、説明文Ｗとキーワードとの合致性に基づき、テンプレートとプレビュー画像Ｐとを結びつけるようにする。これにより、テンプレート、説明文Ｗ、プレビュー画像Ｐを１つのパッケージとして構成する手法のようにテンプレートの数だけプレビュー画像Ｐが必要になることはない。また複数のテンプレートで共通のプレビュー画像を使用する場合に、上記手法のように同一プレビュー画像Ｐを重複して記憶するための無駄なリソースが必要とならない。これにより、プレビュー画像Ｐａ，Ｐｂ，Ｐｃ，…の記憶のために必要となるコンテンツサーバＳＶの大容量記憶装置１６０内でのリソースを低減することができる。
【００９４】
また、上記図５（ａ）〜（ｃ）を用いて説明したように、プレビュー画像Ｐ（又はテンプレート）の更新が生じた場合、テンプレート、説明文Ｗ、プレビュー画像Ｐを１つのパッケージとして構成する手法では、更新されたプレビュー画像Ｐ（又はテンプレート）を含むすべてのパッケージＰＫの作り直しが必要となって更新処理に要する労力及びコストが増大する。これに対し、本実施形態においては、プレビュー画像Ｐの更新が生じた場合には、図８を用いて前述したように、プレビュー画像Ｐに対応付けるキーワードを新たに生成して、プレビュー画像Ｐとコンテンツとの対応付けを新たに構築（前述の対応付けテーブルを、例えば図７（ａ）から図７（ｂ）のように更新）すれば足りる。また、テンプレートの更新が生じた場合には、同様に、テンプレートの説明文Ｗを新たに生成して、プレビュー画像Ｐとコンテンツとの対応付けを新たに構築（前述の対応付けテーブルを更新）すれば足りる。したがって、いずれの場合も、上記手法に比べ更新処理に要する労力及びコストを低減することができる。
【００９５】
また、本実施形態では特に、キーワード数カウント手順でのカウント値が最も大きい場合には、テンプレートの説明文Ｗとプレビュー画像Ｐとの関連性が最も高いことに応じて、そのようなプレビュー画像Ｐを処理対象のテンプレートに対応付ける画像として決定する（図９のステップＳ１８参照）。これにより、特定のテンプレートに最も適合するプレビュー画像Ｐを高い精度で選び出し、表示することができる。
【００９６】
また、本実施形態では特に、少なくとも、ステップＳ１０においてテンプレート又はプレビュー画像Ｐの更新があったと判定された場合に、上記ステップＳ１２におけるプレビュー画像Ｐの取得、ステップＳ１３におけるキーワードの取得、ステップＳ１４における各テンプレートの説明文Ｗの取得等を含む各種処理が実行される。これにより、プレビュー画像Ｐ（又はテンプレート）の更新が生じた場合において、テンプレート、説明文Ｗ、プレビュー画像Ｐを１つのパッケージとして構成する手法に比べ、処理に要する労力及びコストを確実に低減することができる。
【００９７】
なお、以上においては、ラベルプリンタ３で、テープロール２０４から繰り出された被印字媒体としてのテープ２０３に印字を行ってこれを切断し印字ラベルＬを作成した場合を例にとって説明したが、これに限られず、基材テープと、当該基材テープとは別のカバーフィルム（被印字媒体）に印字を行い、それらを貼り合わせたテープを用いて印字ラベルＬを作成する方式としてもよい。
【００９８】
また、上記の例では、コンテンツの一例として、ラベル作成時に用いるテンプレートを例にとって説明したが、これに限られない。すなわち、その他のラベル作成に関連して使用される画像や、ＯＳやアプリケーションや各種ドライバ等のソフトウェア、などを本発明の処理対象としてもよい。この場合も同様の効果を得る。
【００９９】
また、図９に示すフローチャートは本発明を上記フローに示す手順に限定するものではなく、発明の趣旨及び技術的思想を逸脱しない範囲内で手順の追加・削除又は順番の変更等をしてもよい。
【０１００】
その他、一々例示はしないが、本発明は、その趣旨を逸脱しない範囲内において、種々の変更が加えられて実施されるものである。
【符号の説明】
【０１０１】
１                コンテンツ情報処理システム
２                操作端末
３                ラベルプリンタ（印字ラベル作成装置）
１７              表示部（表示手段）
１２０            ＣＰＵ（演算手段）
１６０            大容量記憶装置（コンテンツ情報記憶手段、プレビュー画像記憶手段）
２０５            印字ヘッド（印字手段）
２０３            テープ（被印字媒体）
２０９            搬送装置（搬送手段）
ＦＴ              ファイルラベルテンプレート（コンテンツ）
ＢＴ              備品管理ラベルテンプレート（コンテンツ）
Ｌ                印字ラベル
ＮＴ，ＮＴ´      名札ラベルテンプレート（コンテンツ）
Ｐ，Ｐａ〜Ｐｃ    プレビュー画像
ＳＶ              コンテンツサーバ
Ｗ，Ｗ１〜４      説明文
【図１】
0005637454.tif 000002
【図２】
0005637454.tif 000003
【図３】
0005637454.tif 000004
【図４】
0005637454.tif 000005
【図５】
0005637454.tif 000006
【図６】
0005637454.tif 000007
【図７】
0005637454.tif 000008
【図８】
0005637454.tif 000009
【図９】
0005637454.tif 000010